【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
有機層を形成するための方法であって、
少なくとも１つの有機材料を含む第１の有機層を基板の上に形成する工程と、
第１の液体組成物を前記第１の有機層の第１の部分の上に配置することによって、少なくとも１つのゲスト材料を前記第１の有機層中に組入れる工程であって、
前記第１の液体組成物が、少なくとも、第１のゲスト材料と、第１の液体媒体とを含み、
前記第１の液体組成物が前記第１の有機層と接触し、
実質的な量の前記第１のゲスト材料が前記第１の有機層中に移行する工程と、
第２の有機層を前記第１の有機層の少なくとも一部の上に蒸着する工程であって、前記第２の有機層が、青色光を発することができる少なくとも１つの有機材料を含む工程とを含むことを特徴とする方法。
【請求項２】
請求項１に記載の方法によって形成されたディスプレイであって、
前記ディスプレイが、少なくとも、第１の放射線放出構成要素と、第２の放射線放出構成要素と、第３の放射線放出構成要素とを含む放射線放出構成要素を有することを特徴とするディスプレイ。
【請求項３】
請求項１に記載の方法によって形成された有機電子デバイス。
【請求項４】
基板と、
前記基板の上にある第１の連続有機層であって、第１の部分および第２の部分を含む第１の連続有機層と、
第１のゲスト材料であって、実質的な量の前記第１のゲスト材料が前記第１の連続有機層内にあり、
前記第１のゲスト材料の少なくとも一部が前記第１の部分内にあり、
前記第２の部分が、前記第１のゲスト材料を実質的に含まない、第１のゲスト材料と、
前記基板の上にある第２の連続有機層であって、第３の部分および第４の部分を含む第２の連続有機層と、
第２のゲスト材料であって、実質的な量の前記第２のゲスト材料が前記第２の連続有機層内にあり、
前記第２のゲスト材料の少なくとも一部が前記第３の部分内にあり、
前記第４の部分が、前記第２のゲスト材料を実質的に含まない、第２のゲスト材料とを含むことを特徴とする有機電子デバイス。
【手続補正２】
【補正対象書類名】明細書
【補正対象項目名】０１７５
【補正方法】変更
【補正の内容】
【０１７５】
利益、他の利点、および問題の解決策を、特定の実施形態に関して上述した。しかし、利益、利点、問題の解決策、および、いかなる利益、利点、または解決策も生じるかより顕著になることを引起してもよいいかなる要素も、特許請求の範囲のいずれかまたはすべての、重要な、必要な、または本質的な特徴または要素と解釈されるべきでない。
本出願は、特許請求の範囲に記載の発明を含め、以下の発明を包含する。
（１）  有機層を形成するための方法であって、
少なくとも１つの有機材料を含む第１の有機層を基板の上に形成する工程と、
第１の液体組成物を前記第１の有機層の第１の部分の上に配置することによって、少なくとも１つのゲスト材料を前記第１の有機層中に組入れる工程であって、
前記第１の液体組成物が、少なくとも、第１のゲスト材料と、第１の液体媒体とを含み、
前記第１の液体組成物が前記第１の有機層と接触し、
実質的な量の前記第１のゲスト材料が前記第１の有機層中に移行する工程と、
第２の有機層を前記第１の有機層の少なくとも一部の上に蒸着する工程であって、前記第２の有機層が、青色光を発することができる少なくとも１つの有機材料を含む工程とを含むことを特徴とする方法。
（２）  前記第１の液体組成物を前記第１の有機層の上に配置する前、前記第１の有機層が実質的に固体の層であることを特徴とする（１）に記載の方法。
（３）  前記第１の液体組成物を前記第１の有機層の上に配置した後、前記第１のゲスト材料の実質的にすべてが前記第１の有機層中に移行することを特徴とする（１）に記載の方法。
（４）  前記第１の有機層が、青色光を発することができる材料を含むことを特徴とする（１）に記載の方法。
（５）  前記第１の有機層が正孔輸送材料を含むことを特徴とする（１）に記載の方法。
（６）  前記第１の有機層が電子遮断材料を含むことを特徴とする（１）に記載の方法。
（７）  前記第１の有機層が連続層を形成することを特徴とする（１）に記載の方法。
（８）  前記第２の有機層が連続層を形成することを特徴とする（１）に記載の方法。
（９）  前記第２の有機層が電子輸送材料を含むことを特徴とする（１）に記載の方法。
（１０）  前記第２の有機層が正孔遮断材料を含むことを特徴とする（１）に記載の方法。
（１１）  前記第２の有機層が、前記第１のゲスト材料を実質的に含まないことを特徴とする（１）に記載の方法。
（１２）  前記第１の液体組成物を前記第１の有機層の上に配置する工程が、前記基板の上に存在するウェル構造なしで行われることを特徴とする（１）に記載の方法。
（１３）  前記第１の有機層を前記基板の上に形成する前、ウェル構造を前記基板の上に形成する工程をさらに含むことを特徴とする（１）に記載の方法。
（１４）  前記第１の液体組成物を前記第１の有機層の上に配置する工程が、精密堆積技術を用いて行われることを特徴とする（１）に記載の方法。
（１５）  請求項１に記載の方法によって形成されたディスプレイであって、
前記ディスプレイが、少なくとも、第１の放射線放出構成要素と、第２の放射線放出構成要素と、第３の放射線放出構成要素とを含む放射線放出構成要素を有することを特徴とするディスプレイ。
（１６）  前記ディスプレイが、可視光スペクトルの実質的にすべてにわたって放射線を放出し、
前記第１の放射線放出構成要素が、赤色光スペクトル内の第１の発光最大を有し、
前記第２の放射線放出構成要素が、緑色光スペクトル内の第２の発光最大を有し、
前記第３の放射線放出構成要素が、青色光スペクトル内の第３の発光最大を有することを特徴とする（１５）に記載のディスプレイ。
（１７）  （１）に記載の方法によって形成された有機電子デバイス。
（１８）  基板と、
前記基板の上にある第１の連続有機層であって、第１の部分および第２の部分を含む第１の連続有機層と、
第１のゲスト材料であって、実質的な量の前記第１のゲスト材料が前記第１の連続有機層内にあり、
前記第１のゲスト材料の少なくとも一部が前記第１の部分内にあり、
前記第２の部分が、前記第１のゲスト材料を実質的に含まない、第１のゲスト材料と、
前記基板の上にある第２の連続有機層であって、第３の部分および第４の部分を含む第２の連続有機層と、
第２のゲスト材料であって、実質的な量の前記第２のゲスト材料が前記第２の連続有機層内にあり、
前記第２のゲスト材料の少なくとも一部が前記第３の部分内にあり、
前記第４の部分が、前記第２のゲスト材料を実質的に含まない、第２のゲスト材料とを含むことを特徴とする有機電子デバイス。
（１９）  前記第１の連続有機層が正孔輸送材料を含むことを特徴とする（１８）に記載の有機電子デバイス。
（２０）  前記第１の連続有機層が電子遮断材料を含むことを特徴とする（１８）に記載の有機電子デバイス。
（２１）  前記第２の連続有機層が電子輸送材料を含むことを特徴とする（１８）に記載の有機電子デバイス。
（２２）  前記第２の連続有機層が正孔遮断材料を含むことを特徴とする（１８）に記載の有機電子デバイス。
（２３）  前記第１の連続有機層が第５の部分をさらに含み、
実質的な量の第３のゲスト材料が前記第１の連続有機層内にあり、
前記第３のゲスト材料の少なくとも一部が前記第５の部分内にあり、
前記第２の部分が、前記第３のゲスト材料を実質的に含まないことを特徴とする（１８）に記載の有機電子デバイス。